(57)【要約】      （修正有）【課題】無負荷区域の障害回復を計算するために分析および組合せによるプロセスを組み合わせるためのシステムならびに方法を提供する。【解決手段】システムは、電力を失った配電網の区域に関連する位置およびスイッチ情報を受信し、電力を失った配電網の区域内のスイッチを識別し、識別されたスイッチの交流源容量（ＡＳＣ）値を計算し、少なくとも１つの第２のスイッチを識別して開き、スイッチの、規則を満たす各第２のスイッチとの組合せを計算し、無負荷区域回復計画の計算の前に冗長スイッチ開閉動作を排除し、計算された組合せに少なくとも部分的に基づいて回復計画を計算するように動作可能であり得る。【選択図】図１
2013048549.tif 000002
【特許請求の範囲】
【請求項１】
コンピュータ実行可能命令を記憶する少なくとも１つのメモリ（１０２）と、
前記少なくとも１つのメモリ（１０２）にアクセスするように構成された少なくとも１つのプロセッサ（１０４）であって、
前記少なくとも１つのプロセッサ（１０４）によって、電力を失った配電網の区域内のスイッチ（１２０、１２４）を識別し、
前記識別されたスイッチ（１２０、１２４）のための交流源容量（ＡＳＣ）（１２２）値を計算し、
少なくとも１つの第２のスイッチ（１２０、１２４）を識別して開き、
規則を満たす前記スイッチ（１２０、１２４）と前記少なくとも１つの第２のスイッチ（１２０、１２４）のそれぞれとの組合せを計算し、
前記計算された組合せに少なくとも部分的に基づいて回復計画（１３０）を計算するために前記コンピュータ実行可能命令を実行する
ように構成された少なくとも１つのプロセッサ（１０４）と
を備えるシステム。
【請求項２】
前記少なくとも１つのプロセッサ（１０４）は、配信ネットワークから、電力を失った前記配電網の前記区域に関連する位置およびスイッチ（１２０、１２４）情報を受信するために前記コンピュータ実行可能命令を実行するようにさらに構成される、請求項１記載のシステム。
【請求項３】
前記識別されたスイッチ（１２０、１２４）の前記ＡＳＣ（１２２）値は、前記識別されたスイッチ（１２０、１２４）に隣接する少なくとも１つの回路の動作状態に少なくとも部分的に基づいて計算される、請求項１記載のシステム。
【請求項４】
前記識別されたスイッチ（１２０、１２４）の前記ＡＳＣ（１２２）値は、前記配電網内の電力の流れを判定するためにアルゴリズムから受信された情報に少なくとも部分的に基づいてさらに計算される、請求項３記載のシステム。
【請求項５】
前記少なくとも１つの第２のスイッチ（１２０、１２４）は、前記識別されたスイッチ（１２０、１２４）から、電力を失った前記配電網の前記区域の遮断スイッチ（１２０、１２４）の方にトレースすることにより、および開かれたときに前記識別されたスイッチ（１２０、１２４）の前記計算されたＡＳＣ（１２２）内にある前記配電網に対する負荷（１１８）を回復する追加のスイッチ（１２０、１２４）を識別することにより識別される、請求項１記載のシステム。
【請求項６】
前記識別されたスイッチ（１２０、１２４）の前記ＡＳＣ（１２２）値は、前記識別されたスイッチ（１２０、１２４）の前記ＡＳＣ（１２２）値と、前記識別されたスイッチ（１２０、１２４）の前記ＡＳＣ（１２２）値と少なくとも１つの第２のスイッチ（１２０、１２４）のＡＳＣ（１２２）値との間の負荷（１１８）の合計との間の差を含む第２のＡＳＣ（１２２）値と取り替えられる、請求項５記載のシステム。
【請求項７】
前記少なくとも１つの第２のスイッチ（１２０、１２４）は、電力平衡方程式を満たす、請求項１記載のシステム。
【請求項８】
前記組合せは、開かれたときに、遮断スイッチ（１２０、１２４）と前記少なくとも１つの第２のスイッチ（１２０、１２４）との間の電力を失った前記配電網の区域に電力を供給するスイッチ（１２０、１２４）を判定することに少なくとも部分的に基づいて計算される、請求項１記載のシステム。
【請求項９】
開かれたときに遮断スイッチ（１２０、１２４）と前記少なくとも１つの擬似スイッチ（１２４）との間の電力を失った前記配電網の区域に電力を供給するスイッチ（１２０、１２４）を判定することは、無負荷区域（１１８）内の支線を取り除くことを含み、前記規則は、影響を受ける顧客の数を最大化することまたは電力平衡方程式を満たすこととのうちの少なくとも１つを含む、請求項８記載のシステム。
【請求項１０】
前記少なくとも１つのプロセッサ（１００）は、無負荷区域（１１８）回復計画（１３０）の前記計算の前に冗長スイッチ（１２８）開閉動作を排除するために前記コンピュータ実行可能命令を実行するようにさらに構成される、請求項１記載のシステム。
【発明の詳細な説明】
【技術分野】
【０００１】
本発明の諸実施形態は、一般に、障害回復に関し、より具体的には、分析および組合せによる障害回復の組合せに関する。
【背景技術】
【０００２】
公益事業会社および他の配信ネットワークサービスは、しばしば、無数の問題によって生じる停電に直面する。停電、または障害は、暴風雨、過度の使用、または装置の誤動作によって生じる可能性がある。しかし、障害を回復することは、一般に、大きな計算能力を必要とするか、または不十分なもしくは的確でない解決策になる。さらに、統治機関は信頼性規格を満たす公益事業会社に認可を与えることしかできない。停電が引き続き発生し、統治機関の信頼性基準は高くなり続けるので、障害を回復するためのやり方を見つけることは依然として優先事項である。
【発明の概要】
【０００３】
上記ニーズおよび／または問題の一部またはすべては、本発明のいくつかの実施形態によって対処可能である。開示される諸実施形態は、障害を回復するための分析および組合せによるシステムならびに方法を組み合わせることを含むことが可能である。本発明の一実施形態によれば、電力を失った配電網の区域に関連する位置およびスイッチ情報を受信し、電力を失った配電網の区域内のスイッチを識別し、識別されたスイッチの交流源容量（ＡＳＣ）値を計算し、少なくとも１つの第２のスイッチを識別して開き、スイッチの、規則を満たす各第２のスイッチとの組合せを計算し、無負荷区域回復計画の計算の前に冗長スイッチ開閉動作を排除し、計算された組合せに少なくとも部分的に基づいて回復計画を計算するように動作可能なシステムが開示される。
【０００４】
本発明の他の実施形態によれば、電力を失った配電網の区域に関連する位置およびスイッチ情報を受信し、電力を失った配電網の区域内のスイッチを識別し、識別されたスイッチの交流源容量（ＡＳＣ）値を計算し、少なくとも１つの第２のスイッチを識別して開き、スイッチの、規則を満たす各第２のスイッチとの組合せを計算し、無負荷区域回復計画の計算の前に冗長スイッチ開閉動作を排除し、計算された組合せに少なくとも部分的に基づいて回復計画を計算するための方法が開示される。
【０００５】
さらに、本発明の他の実施形態によれば、配信ネットワークから無負荷区域に関連する位置およびスイッチ情報を受信し、少なくとも１つのプロセッサによって無負荷区域内のスイッチを識別し、識別されたスイッチの交流源容量（ＡＳＣ）値を計算し、電力平衡方程式を満たす少なくとも１つの擬似スイッチを識別して開き、スイッチの、影響を受ける顧客の数を最大化することまたは電力平衡方程式を満たすことのうちの少なくとも１つを含む規則を満たす各擬似スイッチとの組合せを計算し、冗長スイッチ開閉動作を排除し、計算された組合せに少なくとも部分的に基づいて無負荷区域回復計画を計算するための命令を記憶する１つまたは複数のコンピュータ可読媒体が開示される。
【０００６】
本発明の他の実施形態、態様、および特徴は、当業者には以下の詳細な説明、添付の図面、および添付の特許請求の範囲から明らかになるであろう。
【０００７】
次に、必ずしも比例して描かれているわけではない添付の図面が参照される。
【図面の簡単な説明】
【０００８】
【図１】本発明の一実施形態による、分析および組合せによる障害回復を実施するのに用いることができる例示的システムを示すコンピュータ環境のブロック図である。
【図２】本発明の一実施形態による、分析および組合せによる障害回復を実施するための例示的方法の詳細を示す流れ図である。
【図３】本発明の他の実施形態による、分析および組合せによる障害回復を実施するための他の例示的方法の詳細を示す流れ図である。
【発明を実施するための形態】
【０００９】
次に、以下で、本発明の諸例示的実施形態が本発明のいくつかのしかしすべてではない実施形態が示されている添付の図面を参照しながらより十分に説明される。本発明は、多くの異なる形態で実施されてよく、本明細書に記載の諸実施形態に限定されると解釈されるべきではなく、むしろ、これらの実施形態は、本開示が適用可能な法的必要事項を満たすために提供される。同様の数字は全体にわたって同様の要素を表す。
【００１０】
本発明の例示的諸実施形態は、とりわけ、分析および組合せによるシステムならびに方法の組合せを利用することにより障害後の配電網への電力を回復することを対象とする。いくつかの態様では、具体的には、本発明の例示的諸実施形態は、顧客の数、回路の数、要求される電力の量などのしかしそれらに限定されない様々な回復測定基準に基づいて障害区域を回復することを対象とすることが可能である。全体として、公益事業会社または他の電気供給者は電気を生成し、および／または配電網に提供する。配電網は、電気を消費する顧客または他の公益事業会社に電気を提供することができる。さらに、配電網は、一般に、配電網構成要素を接続するためのスイッチ、またはリレーを含む。スイッチが閉じているときは、電気は（供給される際に）この接続を通って流れることができる。開いているときは、電気はスイッチを通らない。
【００１１】
いくつかの実施形態では、タイスイッチは、１つの回路を別の回路に接続するスイッチである。一般に、タイスイッチは、正常な回路動作中は開いたままである。さらに、いくつかの態様では、幹線は、２つの、かつ２つだけのタイスイッチ間の最短経路である電気経路であり、支線は、幹線から分岐する分岐線である。例としてのみ、支線は、その端部を別の幹線に接続しなくてもよく、むしろ、支線はそれだけで終端していてもよく、または負荷またはスイッチなどのデバイスで終端していてもよい。いくつかの態様では、支線はそれ自体の分岐線を有してよい。
【００１２】
さらに、いくつかの実施形態では、交流源は、正常の状態では開いて作動し、無負荷区域に電力を供給するように閉鎖可能なスイッチであってもよい。一般に、無負荷区域は、ダウンストリーム遮断スイッチとそのタイスイッチとの間の電力を有しない区域である。遮断スイッチは、ダウンストリームまたはアップストリームのいずれかの障害区域を最小限度に遮断することができるスイッチである。さらに、交流源容量（ＡＳＣ）は、交流源スイッチがキロワット（ＫＷ）単位、または１ボルトの電位差を１０００アンペアの電流が流れる（すなわち、ＫＶＡ）と記述される単位で供給することができる、電力の量である。
【００１３】
いくつかの態様では、分析システムおよび方法は、方法および／または手順のセットに基づいて、障害回復につながる可能性がある開閉するための可能なスイッチを分析するステップを含んでよい。さらに、これらの分析システムおよび方法は、スイッチに関する予め定義された規則を設定することができる。例えば、いくつかの態様では、スイッチは、スイッチの利用可能なＡＳＣが判定された後に開放可能である。対照的に、いくつかの態様では、組合せシステムおよび方法は、いずれかのスイッチの状態を変更する前に開放すべきスイッチの組合せを計算するステップを含んでよい。したがって、多くの組合せが計算されなければならないとき、大きな計算能力が組合せ方法によって利用され得る。
【００１４】
本発明の諸実施形態の技術的効果は、公益事業者、および／またはそれに限定されないがテレビジョンプロバイダ、インターネットプロバイダ、モバイルフォンネットワークプロバイダなどの他の配信ネットワークサービスのための障害回復計画を計算することを含むことが可能である。さらに、障害回復を計算するための改善された速度が実現され得る。
【００１５】
図１は、本明細書で開示される態様および特徴が実施される１つのコンピューティングデバイス１００の例示的概略図を提供する。コンピューティングデバイス１００は、図１に関連して説明されるものなどのしかしそれらに限定されない開示された特徴および付随する方法を実施することができる任意の適切なコンピューティングデバイスとして構成されてよい。例として、限定としてではなく、適切なコンピューティングデバイスには、パーソナルコンピュータ（ＰＣ）、サーバ、サーバファーム、データセンタ、または開示された特徴のすべてもしくは一部分を記憶および実行することができる任意の他のデバイスなどがあり得る。
【００１６】
一例示的構成では、コンピューティングデバイス１００は、少なくともメモリ１０２および１つまたは複数の処理ユニット（もしくはプロセッサ（１つまたは複数））１０４を備える。プロセッサ（１つまたは複数）１０４は、ハードウェア、ソフトウェア、ファームウェア、またはそれらの組合せで適切に実装されてよい。プロセッサ（１つまたは複数）１０４のソフトウェアまたはファームウェア実施形態は、記載された様々な機能を実行するために任意の適切なプログラミング言語で書かれたコンピュータ実行可能命令または機械実行可能命令を含んでよい。
【００１７】
メモリ１０２は、プロセッサ（１つまたは複数）１０４においてロード可能かつ実行可能なプログラム命令ならびにこれらのプログラムの実行中に生成されたデータを記憶することができる。コンピューティングデバイス１００の構成およびタイプに応じて、メモリ１０２は、揮発性（ランダムアクセスメモリ（ＲＡＭ）など）および／または不揮発性（読出し専用メモリ（ＲＯＭ）、フラッシュメモリなど）でよい。コンピューティングデバイスまたはサーバはまた、磁気ストレージ、光ディスク、および／またはテープストレージ含むがそれらに限定されない追加の取外し可能なストレージ１０６および／または取外し不可能なストレージ１０８を含んでもよい。ディスクドライブおよびそれらの関連コンピュータ読取り可能媒体は、コンピュータ読取り可能命令、データ構造、プログラムモジュール、およびコンピューティングデバイスのための他のデータの不揮発性ストレージを提供することができる。いくつかの実装形態では、メモリ１０２は、スタティックランダムアクセスメモリ（ＳＲＡＭ）、ダイナミックランダムアクセスメモリ（ＤＲＡＭ）、またはＲＯＭなどの複数の異なるタイプのメモリを含んでよい。
【００１８】
メモリ１０２、取外し可能なストレージ１０６、および取外し不可能なストレージ１０８はすべて、コンピュータ読取り可能記憶媒体の例である。例えば、コンピュータ読取り可能記憶媒体は、コンピュータ読取り可能命令、データ構造、プログラムモジュールまたは他のデータなどの情報の記憶のために任意の方法または技術で実装された揮発性媒体および不揮発性媒体、取外し可能な媒体および取外し不可能な媒体を含んでよい。メモリ１０２、取外し可能なストレージ１０６、および取外し不可能なストレージ１０８はすべて、コンピュータ記憶媒体の例である。存在し得る追加のタイプのコンピュータ記憶媒体は、プログラマブルランダムアクセスメモリ（ＰＲＡＭ）、ＳＲＡＭ、ＤＲＡＭ、ＲＡＭ、ＲＯＭ、電気的消去可能プログラマブル読出し専用メモリ（ＥＥＰＲＯＭ）、フラッシュメモリもしくは他のメモリ技術、コンパクトディスク読出し専用メモリ（ＣＤ−ＲＯＭ）、デジタル多用途ディスク（ＤＶＤ）もしくは他の光ストレージ、磁気カセット、磁気テープ、磁気ディスクストレージもしくは他の磁気ストレージデバイス、または所望の情報を記憶するために使用されることが可能であり、サーバまたは他のコンピューティングデバイスによってアクセスされることが可能である任意の他の媒体を含むがそれらに限定されない。上記のいずれかのものの組合せも、コンピュータ読取り可能媒体の範囲内に含むべきである。
【００１９】
代替として、コンピュータ読取り可能通信媒体は、コンピュータ読取り可能命令、プログラムモジュール、または搬送波などのデータ信号もしくは他の送信信号の中で送信された他のデータを含んでよい。しかし、本明細書で使用される場合は、コンピュータ読取り可能記憶媒体は、コンピュータ読取り可能通信媒体を含まない。
【００２０】
コンピューティングデバイス１００はまた、コンピューティングデバイス１００が、記憶されているデータベース、別のコンピューティングデバイスもしくはサーバ、ユーザ端末、および／またはネットワークにおける他のデバイスと通信することができるようにする通信接続（１つまたは複数）１１０を含んでもよい。コンピューティングデバイス１００はまた、キーボード、マウス、ペン、音声入力デバイス、タッチ入力デバイスなどの入力デバイス（１つまたは複数）１１２、およびディスプレイ、スピーカ、プリンタなどの出力デバイス（１つまたは複数）１１４を含んでもよい。
【００２１】
メモリ１０２のコンテンツをより詳細に参照すると、メモリ１０２は、無負荷区域情報受信モジュール１１８を含めて本明細書で開示される特徴を実施するためのオペレーティングシステム１１６および１つまたは複数のアプリケーションプログラムまたはサービスを含んでよい。無負荷区域情報受信モジュール１１８は、無負荷の位置、影響を受ける顧客の数、無負荷内のスイッチの数および／またはタイプ、および無負荷に最も近い交流源などのしかしそれらに限定されない無負荷区域のパラメータに関するデータを受信するように構成されてよい。さらに、無負荷区域情報受信モジュール１１８はまた、無負荷区域情報をメモリ１０２に記憶することもできる。一態様では、無負荷区域情報受信モジュール１１８は、無負荷区域のまたはその近くの回路、スイッチ、またはコントローラから無負荷区域データを受信することができる。しかし、他の態様では、無負荷区域情報受信モジュール１１８は、公益事業者または配信ネットワークサービスプロバイダから無負荷区域情報を受信することができる。
【００２２】
メモリ１０２は、タイスイッチ識別モジュール１２０およびＡＳＣ計算モジュール１２２をさらに含んでよい。タイスイッチ識別モジュール１２０は、識別された無負荷区域内の１つの、複数の、またはすべてのタイスイッチを識別するように構成されてよい。上記のように、いくつかの態様では、無負荷区域内の各タイスイッチが識別可能である。しかし、他の態様では、無負荷区域全体のうちの一部分におけるタイスイッチだけが識別されることが可能である。さらに、ＡＳＣ計算モジュール１２２は、１つの識別されたタイスイッチ、各識別されたタイスイッチ、またはすべての識別されたタイスイッチのサブセットのＡＳＣ値を計算するように構成されてよい。いくつかの態様では、ＡＳＣ計算モジュール１２２は、識別されたタイスイッチ（１つまたは複数）に隣接する回路の現在の動作状態に基づいてＡＳＣ値を計算することができる。これは、配電電力潮流研究またはＡＳＣ値を提供するための他のツールによって達成可能である。上記のように、ＡＳＣ値は、交流源スイッチ（例えば、非無負荷区域を接続するスイッチ）が供給することができるＫＷまたはＫＶＡ単位での電力の量と定義されてよい。
【００２３】
さらに、メモリ１０２は、擬似タイスイッチ識別および開モジュール１２４を含んでよい。一態様では、擬似タイスイッチ識別および開モジュール１２４は、擬似タイスイッチを識別するように構成されてよい。少なくとも１つの非限定的な例では、擬似タイスイッチ識別および開モジュール１２４は、識別されたタイスイッチから遮断スイッチに向かってトレースすることによりタイスイッチ識別モジュール１２０によって識別された各タイスイッチの幹線においてできるだけ多くの電力を回復することができる。次いで、擬似タイスイッチ識別および開モジュール１２４は、識別されたタイスイッチの利用可能なＡＳＣを条件として最も多い負荷を回復する無負荷区域内のスイッチを開くことができる。
【００２４】
いくつかの態様では、この開かれたタイスイッチは、識別されたタイスイッチを、識別されたタイスイッチの元のＡＳＣと、前に識別されたタイスイッチとＰＴＳとの間の負荷の合計との間の差によって計算された新しいＡＳＣと取り替える擬似タイスイッチ（ＰＴＳ）と識別可能である。さらに、いくつかの態様では、選択されたＰＴＳは、ＡＳＣチェック（すなわち、電力平衡方程式を満たすこと）、およびＰＴＳは手動スイッチを与えられていない限り適切な通信品質で遠隔制御可能であること、ＰＴＳにタグが付けられていないこと、ＰＴＳは遠隔制御可能であることなどを要求するなどのしかしそれらに限定されないユーザ定義規則によって満たされなければならない。いくつかの態様では、擬似タイスイッチ識別および開モジュール１２４が、選択されたＰＴＳが予め定義された基準を満たさないと判定した場合は、擬似タイスイッチ識別および開モジュール１２４は、基準を満たすＰＴＳを見つけるために前のスイッチまで後方にトレースすることができる。さらに、いくつかの態様では、擬似タイスイッチ識別および開モジュール１２４は、最終的に、選択されたＰＴＳによって限定された無負荷区域を定義することができる。
【００２５】
メモリ１０２はまた、タイスイッチ組合せ計算モジュール１２６を含んでもよい。一態様では、タイスイッチ組合せ計算モジュール１２６は、障害回復計画を判定するために１つまたは複数のタイスイッチ組合せを計算するように構成されてよい。例としてのみ、タイスイッチ組合せ計算モジュール１２６は、遮断スイッチとＰＴＳとの間で見つけられた無負荷をなくすために使用可能になる選択されたＰＴＳによって限定された新たに定義された無負荷区域内の開いているスイッチの組合せを計算することができる。いくつかの態様では、あらゆる可能な組合せが計算され得る。さらに、いくつかの態様では、有効な組合せ（すなわち、無負荷をなくし、電力平衡方程式を満たし、および／またはユーザ定義規則を満たす組合せ）だけが計算される。いくつかの態様では、タイスイッチ組合せ計算モジュール１２６は、スイッチの選択が回復測定基準（例えば、顧客の最大数）を最大化し、電力平衡方程式を満たし、および／または擬似タイスイッチ識別および開モジュール１２４によって利用される予め定義されたユーザ選択基準を満たすように開放すべきスイッチを選択して新しい無負荷区域内の支線を取り除くことにより、組合せを計算することができる。
【００２６】
さらに、メモリ１０２は、冗長排除モジュール１２８および回復計画計算モジュール１３０をさらに含んでよい。一態様では、冗長排除モジュール１２８は、冗長開／閉スイッチ動作を排除するように構成されてよい。すなわち、１つの非限定的な例では、タイスイッチ組合せ計算モジュール１２６が擬似タイスイッチ識別および開モジュール１２４の開動作によってもたらされるＰＴＳにおける閉動作を実行する場合、動作のこのセット（すなわち、同じタイスイッチの開閉）は排除されてよい。さらに、回復計画計算モジュール１３０は、１つまたは複数の冗長開／閉動作が冗長排除モジュール１２８によって排除されると、回復計画を計算および／または判定するように構成されてよい。いくつかの態様では、擬似タイスイッチ識別および開モジュール１２４の分析方法、タイスイッチ組合せ計算モジュール１２６の組合せ方法、および冗長排除モジュール１２８の単純化方法が順次適用されて、配電電力潮流研究が実行されることが可能である大多数の可能な組合せを低減し、所与の回復計測基準に基づいてより多くの負荷を回復することができる。
【００２７】
本明細書に記載の様々な命令、方法、および技術は、１つまたは複数のコンピュータまたは他のデバイスによって実行されるプログラムモジュールなどのコンピュータ実行可能命令の一般的な文脈で考察されてよい。一般に、プログラムモジュールは、特定のタスクを実行するかまたは特定の抽象データタイプを実施するためのルーチン、プログラム、オブジェクト、コンポーネント、データ構造などを含む。これらのプログラムモジュールおよび同種のものは、ネイティブコードとして実行されてもよく、または仮想マシンもしくはジャストインタイムコンパイル実行環境などにおいてダウンロードされて実行されてもよい。通常、プログラムモジュールの機能は、様々な実施形態において所望に応じて、結合されても、または分散されてもよい。これらのモジュールおよび技術の実行形態は、何らかの形式のコンピュータ読取り可能記憶媒体上に記憶されてよい。
【００２８】
図１に示されている例示的コンピューティングデバイス１００は、例としてのみ提供されている。他の多数の動作環境、システムアーキテクチャ、およびデバイス構成が可能である。したがって、本開示の諸実施形態は、何らかの特定の動作環境、システムアーキテクチャ、またはデバイス構成に限定されると解釈されるべきではない。
【００２９】
図２および３は、それぞれ、図１を参照しながら説明される、分析および組合せによる障害回復を実施するための例示的プロセス２００および３００の流れ図である。これらのプロセスは、論理流れ図として示されており、それらの各動作は、ハードウェア、ソフトウェア、またはそれらの組合せで実施可能な一連の動作を表す。ソフトウェアの文脈では、動作は、１つまたは複数のプロセッサによって実行される場合、前述の動作を実行する１つまたは複数のコンピュータ読取り可能記憶媒体上に記憶されているコンピュータ実行可能命令を表す。一般に、コンピュータ実行可能命令は、ルーチン、プログラム、オブジェクト、コンポーネント、データ構造、および特定の機能を実行するかまたは特定の抽象データタイプを実施する同種のものを含む。動作が記載されている順序は、限定と解釈されることを意図するものではなく、プロセスを実施するために任意の数の記載された動作が任意の順序でおよび／または並行して組み合わされることが可能である。
【００３０】
図２は、上記で論じられたように、分析および組合せによる障害回復を実施するためのプロセス２００の例示的流れ図を示す。一例では、例示的コンピューティングデバイス１００および／または例示的コンピューティングデバイス１００の１つまたは複数のモジュール１１８〜１３０は、単独でまたは共同でプロセス２００の記載された動作を実行することができる。
【００３１】
この特定の実施形態では、プロセス２００は、プロセス２００が無負荷区域の位置およびスイッチ情報を受信することができる図２のブロック２０２から開始することができる。この例では、プロセス２００は、無負荷の位置、影響を受ける顧客の数、無負荷区域内のスイッチの数および／またはタイプ、および無負荷区域に最も近い交流源などのしかしそれらに限定されない無負荷区域のパラメータに関するデータを受信することができる。さらに、プロセス２００はまた、ブロック２０２において情報を記憶することもできる。一態様では、情報は、無負荷区域のまたはその近くの回路、スイッチ、またはコントローラから受信されることが可能である。しかし、他の態様では、プロセス２００は、無負荷区域情報を公益事業者または他の配信ネットワークサービスプロバイダから受信することができる。
【００３２】
ブロック２０４において、プロセス２００は、無負荷区域内のスイッチ（タイスイッチなど）を識別することができる。上記のように、スイッチを識別することは、識別された無負荷部分における１つの、複数の、またはすべてのタイスイッチを識別することを含んでよい。さらに、いくつかの態様では、無負荷区域内の各タイスイッチが識別され得る。しかし、他の態様では、無負荷区域全体の一部分におけるタイスイッチだけが識別されることが可能である。
【００３３】
ブロック２０６において、プロセス２００は、１つまたは複数の識別されたタイスイッチのＡＳＣ値を計算することができる。この例では、プロセス２００は、１つの識別されたタイスイッチ、各識別されたタイスイッチ、またはすべての識別されたタイスイッチのサブセットのＡＳＣ値を計算することができる。いくつかの態様では、プロセス２００は、識別されたタイスイッチ（１つまたは複数）に隣接する回路の現在の動作状態に基づいてＡＳＣ値を計算することができる。これは、配電電力潮流研究またはＡＳＣ値を提供するための他のツールによって達成され得る。上記のように、ＡＳＣ値は、交流源スイッチ（例えば、非無負荷区域を接続するスイッチ）が供給することができるＫＷまたはＫＶＡ単位での電力の量と定義され得る。
【００３４】
ブロック２０８において、プロセス２００は、擬似タイスイッチを識別して開くことができる。上記のように、いくつかの態様では、プロセス２００は、識別されたタイスイッチから遮断スイッチの方にトレースすることにより図１のタイスイッチ識別モジュール１２０によって識別された各タイスイッチの幹線においてできるだけ多くの電力を回復することができる。プロセス２００は、次いで、識別されたタイスイッチの利用可能なＡＳＣを条件として最も多い負荷を回復する無負荷区域内のスイッチを開くことができる。いくつかの態様では、この開かれたタイスイッチは、識別されたタイスイッチを識別されたタイスイッチの元のＡＳＣと、前に識別されたタイスイッチとＰＴＳとの間の負荷の合計との間の差によって計算された新しいＡＳＣと取り替える擬似タイスイッチ（ＰＴＳ）と識別され得る。さらに、いくつかの態様では、選択されたＰＴＳは、ＡＳＣチェック（すなわち、電力平衡方程式を満たす）、およびＰＴＳは手動スイッチが与えられていない限り適切な通信品質で遠隔制御可能であること、ＰＴＳにタグが付けられていないこと、ＰＴＳは遠隔制御可能であることなどを要求するなどのしかしそれらに限定されないユーザ定義規則によって満たされなければならない。いくつかの態様では、プロセス２００が、選択されたＰＴＳが予め定義された基準を満たさないと判定した場合は、プロセス２００は、基準を満たすＰＴＳを見つけるために前のスイッチまで後方にトレースすることができる。さらに、いくつかの態様では、プロセス２００は、結局は、ブロック２０８において、選択されたＰＴＳによって限定された無負荷区域を定義することができる。
【００３５】
さらに、プロセス２００は、ブロック２１０において、タイスイッチ／擬似タイスイッチ組合せを計算することができる。いくつかの態様では、プロセス２００は、遮断スイッチとＰＴＳとの間で見つけられた無負荷をなくすために使用され得る、選択されたＰＴＳによって限定された新たに定義された無負荷区域内の開いているスイッチの組合せを計算することができる。いくつかの態様では、あらゆる可能な組合せが計算され得る。さらに、いくつかの態様では、有効な組合せ（すなわち、無負荷をなくし、電力平衡方程式を満たし、および／またはユーザ定義規則を満たす組合せ）だけが計算され得る。いくつかの態様では、プロセス２００は、スイッチの選択が、回復測定基準（例えば、顧客の最大数）を最大化し、電力平衡方程式を満たし、および／またはブロック２０８において利用される予め定義されたユーザ選択基準を満たすように開放すべきスイッチを選択して新しい無負荷区域内の支線を取り除くことにより組合せを計算することができる。
【００３６】
いくつかの態様では、ブロック２１２において、プロセス２００は、スイッチ開／閉動作冗長を排除することができる。さらに、ブロック２１４において、プロセス２００は、ブロック２０２〜２１２において実行された動作に少なくとも部分的に基づいて、回復計画を計算することができる。
【００３７】
図３は、前述のように、分析および組合せによる障害回復の他の態様を実施するためのプロセス３００の例示的流れ図を示す。一例では、例示的コンピューティングデバイス１００および／または例示的コンピューティングデバイス１００の１つまたは複数のモジュール１１８〜１３０は、単独でまたは共同でプロセス３００の記載された動作を実行することができる。
【００３８】
この特定の実施形態では、プロセス３００は、図３のブロック３０２から開始することができ、プロセス３００は、１つまたは複数のスイッチ（例えば、タイスイッチ）を識別し、それらのそれぞれのＡＳＣ値を計算することができる。さらに、判断ブロック３０４において、プロセス３００は、計算されたＡＳＣ値が無負荷区域全体をカバーすることができるかどうかを判定することができる。そうである場合は、プロセス３００は、ブロック３０６において回復計画を計算することにより終了することができる。この例では、ブロック３０６において計算された回復計画は、識別されたスイッチおよびそれらのそれぞれ計算されたＡＳＣ値に少なくとも部分的に基づいてよい。
【００３９】
しかし、プロセス３００が、判断ブロック３０４において、識別されたスイッチが無負荷区域全体をカバーすることができないと判定した場合は、プロセスは、ブロック３０８において、個々のタイスイッチによってできるだけ多くの電力を回復することができる。ブロック３１０において、プロセス３００は、次いで、いくつかの予め定義された規則を満たす擬似タイスイッチを識別することができる。ブロック３１２において、プロセス３００は、支線を取り除くことにより開いているスイッチの可能な組合せを計算することができる。プロセス３００は、次いで、ブロック３１４において、隣接するサブ区域を組み合わせることによりスイッチ動作を最小化することができる。最後に、ブロック３０６において、プロセスは、プロセス３００のブロック３０８〜３１４の間に受信され、識別され、および／または計算する情報に少なくとも部分的に基づいて回復計画を計算することにより終了することができる。
【００４０】
分析および組合せによる障害回復を実施する例示的方法およびシステムが上記で説明されている。これらのシステムおよび方法の一部またはすべては、上記図１に示されているアーキテクチャなどのアーキテクチャによって少なくとも部分的に実施されることが可能であるが、その必要はない。
【００４１】
諸実施形態が構造的特徴および／または方法論的動作に特有の言語で説明されてきたが、本開示は説明された特定の特徴または動作に必ずしも限定されるわけではないことが理解されるべきである。むしろ、特定の特徴および動作は、諸実施形態を実施する例示的な形態として開示される。
【符号の説明】
【００４２】
１００  コンピューティングデバイス
１０２  メモリ
１０４  プロセッサ
１０６  取外し可能なストレージ
１０８  取外し不可能なストレージ
１１０  通信接続
１１２  入力デバイス
１１４  出力デバイス
１１６  オペレーティングシステム
１１８  無負荷区域情報受信モジュール
１２０  タイスイッチ識別モジュール
１２２  ＡＳＣ計算モジュール
１２４  擬似タイスイッチ識別および開モジュール
１２６  タイスイッチ組合せ計算モジュール
１２８  冗長排除モジュール
１３０  回復計画計算モジュール
【図１】
2013048549.tif 000003
【図２】
2013048549.tif 000004
【図３】
2013048549.tif 000005
【外国語明細書】
2013048549000001.pdf